【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
第１の領域の画素から、第１の読み出し動作によって信号が読み出され、前記第１の領域とは異なる第２の領域の画素から、前記第１の読み出し動作とは異なる第２の読み出し動作によって信号が読み出され、前記第２の領域が画素配列上で離散的に配置された撮像素子から出力された信号に対して、信号処理を行う画像処理装置であって、
前記第１の読み出し動作によって読み出された信号を含まず、前記第２の読み出し動作によって読み出された信号からなる画像信号を生成する生成手段と、
前記画像信号に含まれる着目画素に対し、前記着目画素に対応する複数の参照画素の信号を用いて、所定の信号処理を行う処理手段と、を有し、
前記処理手段は、前記画像信号において前記着目画素の周辺に位置し、前記撮像素子の画素配列上で前記着目画素からの距離が所定の閾値未満である画素を、前記複数の参照画素とすることを特徴とする画像処理装置。
【請求項２】
前記所定の信号処理は、前記複数の参照画素の信号のそれぞれに係数を掛けるフィルタ処理であることを特徴とする請求項１に記載の画像処理装置。
【請求項３】
第１の領域の画素から、第１の読み出し動作によって信号が読み出され、前記第１の領域とは異なる第２の領域の画素から、前記第１の読み出し動作とは異なる第２の読み出し動作によって信号が読み出され、前記第２の領域が画素配列上で離散的に配置された撮像素子から出力された信号に対して、信号処理を行う画像処理装置であって、
前記第１の読み出し動作によって読み出された信号を含まず、前記第２の読み出し動作によって読み出された信号からなる画像信号を生成する生成手段と、
前記画像信号に含まれる着目画素に対し、前記着目画素に対応する複数の参照画素の信号のそれぞれに係数を掛けるフィルタ処理を行う処理手段と、を有し、
前記処理手段は、前記画像信号において前記着目画素の周辺に位置する画素を前記複数の参照画素とし、前記複数の参照画素のそれぞれに対応する前記係数を、前記撮像素子の画素配列上での前記着目画素からの距離に応じて設定することを特徴とする画像処理装置。
【請求項４】
前記処理手段は、前記フィルタ処理の結果に基づいて、キズ画素を検出することを特徴とする請求項２または３に記載の画像処理装置。
【請求項５】
前記撮像素子の画素配列上の複数のラインが前記第２の領域に設定され、前記第２の領域は少なくとも第１のライン、第２のライン、および、第３のラインを含み、前記第１のラインと前記第３のラインの間に前記第２のラインが配置され、前記第１のラインと前記２のラインの間隔と、前記第２のラインと前記第３のラインの間隔が異なることを特徴とする請求項１乃至４のいずれか１項に記載の画像処理装置。
【請求項６】
前記撮像素子のラインごとに、前記第１の読み出し動作で信号を読み出すか、あるいは、前記第２の読み出し動作で信号を読み出すかを、変更することが可能であることを特徴とする請求項５に記載の画像処理装置。
【請求項７】
前記第２の読み出し動作によって読み出された信号は、測距演算のための信号であることを特徴とする請求項１乃至６のいずれか１項に記載の画像処理装置。
【請求項８】
前記撮像素子のそれぞれの画素は、１つのマイクロレンズと、複数の光電変換素子を有することを特徴とする請求項１乃至７のいずれか１項に記載の画像処理装置。
【請求項９】
前記第１の読み出し動作は、画素ごとに、前記複数の光電変換素子において蓄積された信号を加算して読み出す動作であり、前記第２の読み出し動作は、画素ごとに、前記複数の光電変換素子の一部の光電変換素子において蓄積された信号を読み出す動作であることを特徴とする請求項８に記載の画像処理装置。
【請求項１０】
前記撮像素子を有することを特徴とする請求項１乃至９のいずれか１項に記載の画像処理装置。
【請求項１１】
第１の領域の画素から、第１の読み出し動作によって信号が読み出され、前記第１の領域とは異なる第２の領域の画素から、前記第１の読み出し動作とは異なる第２の読み出し動作によって信号が読み出され、前記第２の領域が画素配列上で離散的に配置された撮像素子から出力された信号に対して、信号処理を行う画像処理装置の制御方法であって、
前記第１の読み出し動作によって読み出された信号を含まず、前記第２の読み出し動作によって読み出された信号からなる画像信号を生成する工程と、
前記画像信号に含まれる着目画素に対し、前記着目画素に対応する複数の参照画素の信号を用いて、所定の信号処理を行う工程と、を有し、
前記複数の参照画素は、前記画像信号において前記着目画素の周辺に位置し、前記撮像素子の画素配列上で前記着目画素からの距離が所定の閾値未満である画素であることを特徴とする画像処理装置の制御方法。
【請求項１２】
第１の領域の画素から、第１の読み出し動作によって信号が読み出され、前記第１の領域とは異なる第２の領域の画素から、前記第１の読み出し動作とは異なる第２の読み出し動作によって信号が読み出され、前記第２の領域が画素配列上で離散的に配置された撮像素子から出力された信号に対して、信号処理を行う画像処理装置の制御方法であって、
前記第１の読み出し動作によって読み出された信号を含まず、前記第２の読み出し動作によって読み出された信号からなる画像信号を生成する工程と、
前記画像信号に含まれる着目画素に対し、前記着目画素に対応する複数の参照画素の信号のそれぞれに係数を掛けるフィルタ処理を行う工程と、を有し、
前記複数の参照画素は、前記画像信号において前記着目画素の周辺に位置する画素であり、
前記複数の参照画素のそれぞれに対応する前記係数は、前記撮像素子の画素配列上での前記着目画素からの距離に応じて設定されることを特徴とする画像処理装置の制御方法。
【請求項１３】
コンピュータを、請求項１乃至１０のいずれか１項に記載の画像処理装置の各手段として機能させるためのプログラム。
【手続補正２】
【補正対象書類名】明細書
【補正対象項目名】発明の名称
【補正方法】変更
【補正の内容】
【発明の名称】画像処理装置、画像処理装置の制御方法、及びプログラム
【手続補正３】
【補正対象書類名】明細書
【補正対象項目名】０００１
【補正方法】変更
【補正の内容】
【０００１】
本発明は、画像を撮像する撮像装置等に好適な画像処理装置、画像処理装置の制御方法、及びプログラムに関する。
【手続補正４】
【補正対象書類名】明細書
【補正対象項目名】０００７
【補正方法】変更
【補正の内容】
【０００７】
本発明は、第１の領域の画素から、第１の読み出し動作によって信号が読み出され、前記第１の領域とは異なる第２の領域の画素から、前記第１の読み出し動作とは異なる第２の読み出し動作によって信号が読み出され、前記第２の領域が画素配列上で離散的に配置された撮像素子から出力された信号に対して、信号処理を行う画像処理装置であって、前記第１の読み出し動作によって読み出された信号を含まず、前記第２の読み出し動作によって読み出された信号からなる画像信号を生成する生成手段と、前記画像信号に含まれる着目画素に対し、前記着目画素に対応する複数の参照画素の信号を用いて、所定の信号処理を行う処理手段と、を有し、前記処理手段は、前記画像信号において前記着目画素の周辺に位置し、前記撮像素子の画素配列上で前記着目画素からの距離が所定の閾値未満である画素を、前記複数の参照画素とすることを特徴とする。
【手続補正５】
【補正対象書類名】明細書
【補正対象項目名】００１０
【補正方法】変更
【補正の内容】
【００１０】
以下に、本発明の好ましい実施の形態を、添付の図面に基づいて詳細に説明する。
＜第１の実施形態＞
図１は、本発明の画像処理装置、画像処理装置の制御方法及びプログラムの一適用例としての第１の実施形態に係る撮像装置の概略構成を示すブロック図である。
本実施形態の撮像装置において、光学系１００はフォーカスレンズ、ズームレンズ、絞り、シャッター等を有する撮像光学系である。光学系駆動部１０１は、ＣＰＵ１０８から供給される光学系制御情報に基づいて光学系１００のレンズ、絞り、シャッター等を駆動する。撮像素子１０２はＣＣＤやＣＭＯＳ等の撮像センサである。撮像素子駆動部１０３は、ＣＰＵ１０８からの撮像素子制御情報に基づいて撮像素子１０２を駆動する。撮像素子１０２から出力された撮像信号は、信号分離部１０４に送られる。信号分離部１０４以降の各構成の説明は後述する。